【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
各々が、人体の皮下脂肪厚を測定しようとする部位に接触させて測定を行うための測定電極である第１の電流印加用電極、第２の電流印加用電極、第１の電圧測定用電極および第２の電圧測定用電極と、
前記第１の電流印加用電極と前記第２の電流印加用電極との間を流れる交流電流を出力する電流発生部と、
前記第１の電流印加用電極に隣り合うように配置される前記第１の電圧測定用電極と、前記第２の電流印加用電極に隣り合うように配置される前記第２の電圧測定用電極との間の電圧を測定する電圧測定部と、
前記測定電極が人体の皮下脂肪厚を測定しようとする部位に接触したときに、前記第１の電流印加用電極および前記第２の電流印加用電極のうちの何れか一方の電極から前記人体を介して他方の電極へ至る電流経路を流れる電流と、前記電圧測定部にて測定される電圧との位相差に基づいて、前記第１の電流印加用電極と前記第２の電流印加用電極との間における皮下脂肪厚を求める皮下脂肪厚測定部と、を備える、
皮下脂肪厚測定装置。
【請求項２】
前記皮下脂肪厚測定部は、前記位相差と、前記位相差および皮下脂肪厚の相関関係とから、前記第１の電流印加用電極と前記第２の電流印加用電極との間における皮下脂肪厚を求める
請求項１の皮下脂肪厚測定装置。
【請求項３】
各々が、人体の皮下脂肪厚を測定しようとする部位に接触させて測定を行うための測定電極である第１の電流印加用電極、第２の電流印加用電極、第１の電圧測定用電極および第２の電圧測定用電極と、
前記第１の電流印加用電極と前記第２の電流印加用電極との間を流れる交流電流を出力する電流発生部と、
前記第１の電流印加用電極に隣り合うように配置される前記第１の電圧測定用電極と、前記第２の電流印加用電極に隣り合うように配置される前記第２の電圧測定用電極との間の電圧を測定する電圧測定部と、
前記測定電極が人体の皮下脂肪厚を測定しようとする部位に接触したときに、前記第１の電流印加用電極および前記第２の電流印加用電極のうちの何れか一方の電極から前記人体を介して他方の電極へ至る電流経路を流れる電流と、前記電圧測定部にて測定される電圧との位相差の大きさを示すパラメータを求め、当該パラメータに基づいて、前記第１の電流印加用電極と前記第２の電流印加用電極との間における皮下脂肪厚を求める皮下脂肪厚測定部と、を備える、
皮下脂肪厚測定装置。
【請求項４】
前記皮下脂肪厚測定部は、前記パラメータと、前記パラメータおよび皮下脂肪厚の相関関係とから、前記第１の電流印加用電極と前記第２の電流印加用電極との間における皮下脂肪厚を求める
請求項３の皮下脂肪厚測定装置。
【請求項５】
前記皮下脂肪厚測定部は、前記パラメータを、当該パラメータを変数として含み、当該パラメータと皮下脂肪厚との相関関係を示す相関式に代入し、前記第１の電流印加用電極と前記第２の電流印加用電極との間における皮下脂肪厚を求める
請求項３または４の皮下脂肪厚測定装置。
【請求項６】
前記皮下脂肪厚測定部は、前記電流経路を流れる電流と前記電圧測定部にて測定される電圧とから求められるリアクタンスおよびレジスタンスに基づいて、前記パラメータを求める、
請求項３から請求項５の何れかの皮下脂肪厚測定装置。
【請求項７】
前記皮下脂肪厚測定部は、前記リアクタンスと前記レジスタンスとの比を前記パラメータとして求める、
請求項６の皮下脂肪厚測定装置。
【請求項８】
前記皮下脂肪厚測定部にて求められる皮下脂肪厚は、前記レジスタンスに対する前記リアクタンスの割合が小さいほど大きい値となり、前記レジスタンスに対する前記リアクタンスの割合が大きいほど小さい値となる、
請求項７の皮下脂肪厚測定装置。
【請求項９】
前記皮下脂肪厚測定部は、前記電流経路を流れる電流と前記電圧測定部にて測定される電圧とから求められるインピーダンスおよびリアクタンスに基づいて、前記パラメータを求める、
請求項３から請求項５の何れかの皮下脂肪厚測定装置。
【請求項１０】
前記皮下脂肪厚測定部は、前記電流経路を流れる電流と前記電圧測定部にて測定される電圧とから求められるインピーダンスおよびレジスタンスに基づいて、前記パラメータを求める、
請求項３から請求項５の何れかの皮下脂肪厚測定装置。
【請求項１１】
前記第１の電流印加用電極および前記第２の電流印加用電極は、前記第１の電圧測定用電極と前記第２の電圧測定用電極との間に挟まれるようにして配置される、
請求項１から請求項１０の何れかの皮下脂肪厚測定装置。
【請求項１２】
前記第１の電流印加用電極、前記第２の電流印加用電極、前記第１の電圧測定用電極および前記第２の電圧測定用電極は、第１方向に沿って配列され、前記第１の電流印加用電極と前記第２の電流印加用電極との間の前記第１方向における距離は、前記第１の電圧測定用電極における前記第１方向の幅と、前記第２の電圧測定用電極における前記第１方向の幅との和よりも小さい、
請求項１１の皮下脂肪厚測定装置。
【請求項１３】
被測定者の肥満に関する情報を測定する肥満情報測定部と、
前記皮下脂肪厚測定部にて測定された被測定者の皮下脂肪厚と、前記肥満情報測定部にて測定された被測定者の肥満に関する情報と、に基づいて、被測定者の体組成に関する指標を求める体組成指標測定部と、をさらに備える、
請求項１から請求項１２の何れかの皮下脂肪厚測定装置。
【手続補正２】
【補正対象書類名】明細書
【補正対象項目名】０００５
【補正方法】変更
【補正の内容】
【０００５】
以上の課題を解決するために、本発明に係る皮下脂肪厚測定装置は、各々が、人体の皮下脂肪厚を測定しようとする部位に接触させて測定を行うための測定電極（図１に示す第１測定電極１２）である第１の電流印加用電極、第２の電流印加用電極、第１の電圧測定用電極および第２の電圧測定用電極と、第１の電流印加用電極と第２の電流印加用電極との間を流れる交流電流を出力する電流発生部（図２に示す第１電流発生部２８）と、第１の電流印加用電極に隣り合うように配置される第１の電圧測定用電極と、第２の電流印加用電極に隣り合うように配置される第２の電圧測定用電極との間の電圧を測定する電圧測定部（図２に示す第１電圧測定部３０）と、測定電極が人体の皮下脂肪厚を測定しようとする部位に接触したときに、第１の電流印加用電極および第２の電流印加用電極のうちの何れか一方の電極から人体を介して他方の電極へ至る電流経路を流れる電流と、電圧測定部にて測定される電圧との位相差に基づいて、第１の電流印加用電極と第２の電流印加用電極との間における皮下脂肪厚を求める皮下脂肪厚測定部（図２に示す制御部４４）とを備える。
【手続補正３】
【補正対象書類名】明細書
【補正対象項目名】０００６
【補正方法】変更
【補正の内容】
【０００６】
この態様においては、脂肪層と筋肉層とでは位相差の生じ方に違いがあることに着目し、測定電極が人体の皮下脂肪厚を測定しようとする部位に接触したときに、第１の電流印加用電極および第２の電流印加用電極のうちの何れか一方の電極から人体を介して他方の電極へ至る電流経路を流れる電流と、電圧測定部にて測定される電圧との位相差に基づいて、人体のうち測定電極が接触した部位における皮下脂肪厚を求めている。より具体的には、皮下脂肪厚測定部は、位相差と、位相差および皮下脂肪厚の相関関係とから、第１の電流印加用電極と第２の電流印加用電極との間における皮下脂肪厚を求める。
また、以上の課題を解決するために、本発明に係る皮下脂肪厚測定装置は、各々が、人体の皮下脂肪厚を測定しようとする部位に接触させて測定を行うための測定電極である第１の電流印加用電極、第２の電流印加用電極、第１の電圧測定用電極および第２の電圧測定用電極と、第１の電流印加用電極と第２の電流印加用電極との間を流れる交流電流を出力する電流発生部と、第１の電流印加用電極に隣り合うように配置される第１の電圧測定用電極と、第２の電流印加用電極に隣り合うように配置される第２の電圧測定用電極との間の電圧を測定する電圧測定部と、測定電極が人体の皮下脂肪厚を測定しようとする部位に接触したときに、第１の電流印加用電極および第２の電流印加用電極のうちの何れか一方の電極から人体を介して他方の電極へ至る電流経路を流れる電流と、電圧測定部にて測定される電圧との位相差の大きさを示すパラメータを求め、当該パラメータに基づいて、第１の電流印加用電極と第２の電流印加用電極との間における皮下脂肪厚を求める皮下脂肪厚測定部とを備える。
より具体的には、皮下脂肪厚測定部は、パラメータと、パラメータおよび皮下脂肪厚の相関関係とから、第１の電流印加用電極と第２の電流印加用電極との間における皮下脂肪厚を求める。
また、皮下脂肪厚測定部は、パラメータを、当該パラメータを変数として含み、当該パラメータと皮下脂肪厚との相関関係を示す相関式に代入し、第１の電流印加用電極と第２の電流印加用電極との間における皮下脂肪厚を求めることもできる。
また、皮下脂肪厚測定部は、電流経路を流れる電流と電圧測定部にて測定された電圧とから求められるリアクタンス（インピーダンスの虚数部）およびレジスタンス（インピーダンスの実数部）に基づいて、パラメータを求める。
【手続補正４】
【補正対象書類名】明細書
【補正対象項目名】０００７
【補正方法】変更
【補正の内容】
【０００７】
さらに詳述すると、筋肉層は位相差を生じさせやすいという性質を有する一方、脂肪層は位相差を生じさせにくいという性質を有するから、皮下脂肪厚が大きいほど脂肪層の性質が支配的となって位相差は小さくなる一方、皮下脂肪厚が小さいほど筋肉層の性質が支配的となって位相差は大きくなる。そうすると、皮下脂肪厚が大きいほどレジスタンスに対するリアクタンスの割合は小さくなり、皮下脂肪厚が小さいほどレジスタンスに対するリアクタンスの割合は大きくなる。この関係を利用して、皮下脂肪厚測定部は、リアクタンスとレジスタンスとの比をパラメータとして求め、その求めたパラメータの値に対応する皮下脂肪厚を決定する。これにより、皮下脂肪厚を精度良く測定できるという利点がある。
【手続補正５】
【補正対象書類名】明細書
【補正対象項目名】０００８
【補正方法】変更
【補正の内容】
【０００８】
また、皮下脂肪厚測定部は、電流経路を流れる電流と電圧測定部にて測定される電圧とから求められるインピーダンスおよびリアクタンスに基づいて、パラメータを求めることもできる。
【手続補正６】
【補正対象書類名】明細書
【補正対象項目名】０００９
【補正方法】変更
【補正の内容】
【０００９】
さらに、皮下脂肪厚測定部は、電流経路を流れる電流と電圧測定部にて測定される電圧とから求められるインピーダンスおよびレジスタンスに基づいて、パラメータを求めることもできる。
【手続補正７】
【補正対象書類名】明細書
【補正対象項目名】００１２
【補正方法】変更
【補正の内容】
【００１２】
本発明に係る皮下脂肪厚測定装置の好適な態様として、被測定者の肥満に関する情報（例えば、体重、体脂肪率fpおよび体脂肪量fa）を測定する肥満情報測定部と、皮下脂肪厚測定部にて測定された被測定者の皮下脂肪厚と、肥満情報測定部にて測定された被測定者の肥満に関する情報と、に基づいて、被測定者の体組成に関する指標（例えば内臓脂肪面積、内臓脂肪量、皮下脂肪面積、皮下脂肪量）を求める体組成指標測定部と、をさらに備える態様とすることもできる。
【手続補正８】
【補正対象書類名】明細書
【補正対象項目名】００５３
【補正方法】変更
【補正の内容】
【００５３】
図１５は、皮下脂肪厚Lfを測定する機能のみを備える皮下脂肪厚測定装置１００の動作を示すフローチャートである。図１５を参照しながら、皮下脂肪厚Lfを測定する機能のみを備える皮下脂肪厚測定装置１００の動作について簡単に説明する。先ず、被測定者によってスタートキー２６dがオンされると、電源部３８からの電源供給が開始され、皮下脂肪厚測定装置１００は動作可能な状態となる。そして、被測定者が、自身の体のうち皮下脂肪厚Lfを測定しようとする部位に把持ユニット１０の先端部を押し当てると、制御部４４は、上述の実施形態と同じ方法で、第１の電流印加用電極１２aと第２の電流印加用電極１２bとの間における皮下脂肪厚Lfを測定する（ステップS1）。ステップＳ1の処理が終了すると、制御部４４は、ステップＳ1で求めた皮下脂肪厚Lfを表示部２２に表示させるように制御する（ステップＳ2）。これにより、一連の動作が終了するという具合である。
【手続補正９】
【補正対象書類名】明細書
【補正対象項目名】００５６
【補正方法】変更
【補正の内容】
【００５６】
（４）変形例４
上述の実施形態では、リアクタンスXおよびレジスタンスRに基づいて、皮下脂肪厚Lfを求める態様が例示されているが、これに限定されるものではない。図１６は、インピーダンスとリアクタンスXとレジスタンスRと位相差との関係を示す図である。図１６では、インピーダンスをZ、位相差をphaseと表記している。
図１６からも理解されるように、R＝（Z2−X2）1/2と表すことができるので、上記式（５）におけるR/Xは、｛（Z/X）2−１｝１/2と変形できる。つまり、Z/Xの値に応じて皮下脂肪厚Lfを決定することもできる。
また、図１６からも理解されるように、X＝（Z2−R2）1/2と表すことができるので、上記式（５）におけるR/Xは、１／｛（Z/R）2−１｝1/2と変形できる。つまり、Z/Rの値に応じて皮下脂肪厚Lfを決定してもよい。
要するに、インピーダンスZとリアクタンスXとに基づいて皮下脂肪厚Lfを求めることもできるし、インピーダンスZとレジスタンスRとに基づいて皮下脂肪厚Lfを求めることもできる。